(57)【特許請求の範囲】
【請求項１】
着用者の腹側に配される腹側シート部材と、着用者の背側に配される背側シート部材と、腹側シート部材及び背側シート部材に架け渡して固定された吸収性本体とを具備し、腹側シート部材の両側部と背側シート部材の両側部とが接合されて筒状の胴回り部が形成されているパンツ型吸収性物品であって、
腹側シート部材及び背側シート部材は、吸収性物品の展開且つ伸長状態において矩形状であり、
腹側シート部材は、吸収性物品の縦方向の長さが、背側シート部材の同方向の長さ以上であり、
腹側シート部材と背側シート部材とは、腹側シート部材が背側シート部材の上端縁より上方に延出すると共に背側シート部材が腹側シート部材の下端縁より下方に延出するように接合されているパンツ型吸収性物品。
【請求項２】
腹側シート部材は、吸収性物品の縦方向の長さが、背側シート部材の同方向の長さと同じである請求項１記載のパンツ型吸収性物品。
【請求項３】
腹側シート部材と背側シート部材は、前記筒状の胴回り部の上方開口部の周縁部を形成する部分の収縮応力が相異なっている請求項１又は２記載のパンツ型吸収性物品。
【請求項４】
腹側シート部材よりも背側シート部材の方が、前記筒状の胴回り部の上方開口部の周縁部を形成する部分の収縮応力が大きい請求項３記載のパンツ型吸収性物品。
【請求項５】
前記筒状の胴回り部は、前記上方開口部の周縁部の収縮応力より収縮応力が大きい領域を、該胴回り部における前記上方開口部の周縁部より下方に有しており、該領域も、腹側シート部材側と背側シート部材側とに分割したときに、腹側シート部材より背側シート部材側の収縮応力が大きい請求項１〜４の何れか１項に記載のパンツ型吸収性物品。
【請求項６】
腹側シート部材の背側シート部材の上端縁より上方に延出する部分のシートの積層枚数が、背側シート部材における前記上端縁近傍のシートの積層枚数より多い請求項１〜５の何れか１項に記載のパンツ型吸収性物品。
【請求項７】
腹側シート部材と背側シート部材は、前記筒状の胴回り部の下方に、互いに接合されることなく延出している部分を有している請求項１〜６の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側部と背側シート部材の左右両側部とが接合されているパンツ型吸収性物品が知られている。
例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【０００４】
また、特許文献２には、腹側外装シートと背側外装シートとから形成された筒状の胴回り部と吸収性本体とを備え、背側外装シートが筒状の胴回り部より下方に延出する部分を有するパンツ型紙おむつが記載されており、同公報には、腹側外装シートも、筒状の胴回り部より下方に延出する部分を有していても良いことが記載されている。
【０００５】
また、外包材が、前後に分割された使い捨ておむつではないが、特許文献３には、着用者の背側に配される後胴回り域の長さを前胴回り域の長さより長くして、該後胴回り域を前胴回り域の上端縁よりも上方に延出させたパンツ型おむつが記載されている。
【先行技術文献】
【特許文献】
【０００６】
【特許文献１】特表２００８−５０８０８２号公報
【特許文献２】特開２００８−１７８６８２号公報
【特許文献３】特開平１０−１２７６８９号公報
【発明の概要】
【発明が解決しようとする課題】
【０００７】
外包材が、着用者の腹側に配される腹側シート部材と着用者の背側に配される背側シート部材とに分割されたパンツ型吸収性物品は、例えば、腹側シート部材の帯状原反と背側シート部材の帯状原反とを離間させて搬送しつつ、吸収性本体を、両者間に架け渡すように間欠的に固定し、次いで、腹側シート部材の帯状原反と背側シート部材の帯状原反とが重なるように二つ折りした後、サイドシール部形成用の接合を行い、その接合と同時又はその後に切断して個々の使い捨ておむつに分割することにより効率的に製造することができ、腹側に配される部分と背側に配される部分とが連続する幅広の外包材にレッグ開口部形成用の貫通孔や切り欠きを形成する場合に比して、外包材の原反からのトリムの除去を不要としたり、除去すべきトリムの小型化等を図ることができる。
【０００８】
しかし、特許文献１に記載のプルオン衣類は、後ろベルト部分（背側シート部材）が、前ベルト部分（腹側シート部材）より長いが、後ろベルト部分の上端縁の位置と前ベルト部分の上端縁の位置とが一致しているため、形態のみでは前後の判別が容易ではなく、前後の区別のために、前後の何れかに絵柄や表示を付したり、弾性体の色を前後で異ならせる等の工夫が必要であった。特許文献２のパンツ型紙おむつも同様の問題を有する。
特許文献３に記載のパンツ型おむつは、形態の相違による前後の判別が可能であるが、腹側に位置する前胴回り部より背中側に位置する後胴回り域の方が上方に延出しているため、おむつのウエスト開口部の周縁部を両手で把持しながら、レッグ開口部に脚を通し、次いで、おむつを引き上げるという着用時の動作がしづらくなるという問題を有していた。
【０００９】
従って、本発明は、外包材が腹側シート部材と背側シート部材とに分割され、効率的に製造可能なパンツ型吸収性物品でありながら、形態による前後の判別が容易であり、また腹側部の上部を手で掴みながらスムーズに装着することができるパンツ型吸収性物品に関する。
【課題を解決するための手段】
【００１０】
本発明は、着用者の腹側に配される腹側シート部材と、着用者の背側に配される背側シート部材と、腹側シート部材及び背側シート部材に架け渡して固定された吸収性本体とを具備し、腹側シート部材の両側部と背側シート部材の両側部とが接合されて筒状の胴回り部が形成されているパンツ型吸収性物品であって、腹側シート部材は、吸収性物品の縦方向の長さが、背側シート部材の同方向の長さ以上であり、腹側シート部材と背側シート部材とが、腹側シート部材が背側シート部材の上端縁より上方に延出すると共に背側シート部材が腹側シート部材の下端縁より下方に延出するように接合されているパンツ型吸収性物品を提供するものである。
【発明の効果】
【００１１】
本発明のパンツ型吸収性物品は、外包材が腹側シート部材と背側シート部材とに分割され、効率的に製造可能なパンツ型吸収性物品でありながら、形態による前後の判別が容易であり、また、腹側部の上部を手で掴みながらスムーズに装着することができる。
【図面の簡単な説明】
【００１２】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部と背側部とを面接させた２つ折り状態を示す平面図である。
【図４】図４は、図３に示す状態のパンツ型使い捨ておむつを側方から見た側面図である。
【図５】図５は、収縮応力の測定方法の説明図である。
【発明を実施するための形態】
【００１３】
以下、本発明のパンツ型吸収性物品を、その好ましい実施形態に基づき図面を参照しながら説明する。
本発明の一実施形態であるパンツ型使い捨ておむつ１（以下、おむつ１ともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備し、腹側シート部材２Ａの両側部と背側シート部材２Ｂの両側部とが、それぞれの両側縁部２ａ，２ｂにおいて接合されて、筒状の胴回り部Ｄが形成されている。腹側シート部材２Ａ及び背側シート部材２Ｂは、図２に示す状態（展開且つ伸長状態）において矩形状である。
【００１４】
おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）の縦方向は、腹側部Ａから股下部Ｃを経て背側部Ｂに亘る方向又はその逆方向（図２中Ｘ方向）であり、おむつ（吸収性物品）の幅方向）、着用者の胴回り方向に沿う方向であり、吸収性物品の縦方向と交差する方向（図２中Ｙ方向）である。以下、おむつ縦方向（物品の縦方向）を単にＸ方向、おむつの幅方向（物品幅方向）を単にＹ方向ともいう。
【００１５】
本実施形態のおむつ１における、腹側シート部材２Ａは、Ｘ方向の長さＬａが、背側シート部材２Ｂの同方向の長さＬｂと同じである。
より具体的に説明すると、腹側シート部材２Ａは、おむつ１の展開且つ伸長状態（図２参照）において、横長の長方形状をなしており、おむつ縦方向（Ｘ方向）に沿う左右一対の側縁部２ａ，２ａと、おむつ幅方向（Ｙ方向）に沿う上端縁Ａｕ及び下端縁Ａｄとを有している。背側シート部材２Ｂも、同様に、おむつ１の展開且つ伸長状態（図２参照）において、横長の長方形状をなしており、Ｘ方向に沿う左右一対の側縁部２ｂ，２ｂと、おむつ幅方向（Ｙ方向）に沿う上端縁Ｂｕ及び下端縁Ｂｄを有している。
腹側シート部材２Ａと背側シート部材２Ｂとは、Ｘ方向の長さＬａ，Ｌｂが同じであると共に、図２に示すように、おむつ縦方向（Ｘ方向）の長さがおむつ幅方向（Ｙ方向）において均一である。
【００１６】
そして、腹側シート部材２Ａの側縁部２ａ（詳細には、その一部である接合部２ａ’）と、背側シート部材２Ｂの側縁部２ｂ（詳細には、その一部である接合部２ｂ’）とが接合されていることによって、おむつ１に、一対のサイドシール部４，４が形成されている。
サイドシール部４は、図２に示すように、Ｘ方向の長さが、腹側シート部材２Ａの長さＬａ及び背側シート部材２Ｂの長さＬｂの何れよりも短く形成されており、また、このサイドシール部４の接合は、腹側シート部材２Ａと背側シート部材２Ｂとを、図１及び図３に示すように、それらの上端縁Ａｕ，Ｂｕの位置をＸ方向にずらして行っている。
【００１７】
そのため、腹側シート部材２Ａには、図１及び図３に示すように、背側シート部材２Ｂの上端縁Ｂｕより上方に延出した上方延出部Ｅが生じると共に、背側シート部材２Ｂに、腹側シート部材２Ａの下端縁Ａｕより下方に延出する下方延出部Ｆが生じている。
また、腹側シート部材２Ａには、左右両側にサイドシール部４，４を有し前述した筒状の胴回り部Ｄの腹側部側部分を形成する腹側胴回り部形成部２０ａと、腹側胴回り部形成部２０ａから股下部Ｃ側に延出し、左右両側にサイドシール部４，４を有しない腹側延出部２１ａとが形成されている。
また、背側シート部材２Ｂにも、左右両側にサイドシール部４，４を有し前述した筒状の胴回り部Ｄの背側部側部分を形成する背側胴回り部形成部２０ｂと、背側胴回り部形成部２０ｂから股下部Ｃ側に延出し、左右両側にサイドシール部４，４を有しない背側延出部２１ｂとが形成されている。
【００１８】
前述したように、本実施形態のおむつ１における、腹側シート部材２Ａと背側シート部材２Ｂとは、Ｘ方向の長さＬａ，Ｌｂとが同じであるため、上方延出部ＥのＸ方向の長さＬｅ（図３参照）と下方延出部ＦのＸ方向の長さＬｆ（図３参照）とが同じ長さとなっている。
【００１９】
吸収性本体３は、その長手方向の一端側（腹側シート部材２Ａと重なっている部分）が、腹側シート部材２ＡのＹ方向の中央領域に接着剤を介して固定され、長手方向の他端側（背側シート部材２Ｂと重なっている部分）が、背側シート部材２ＢのＹ方向の中央領域に接着剤を介して固定されている。
吸収性本体３は、身体から排出される尿などの液体を吸収保持する吸収体３３を含んでいる。吸収性本体３の構成は、吸収体３３を含む以外に特に制限はないが、本実施形態のおむつ１における吸収性本体３を、本発明の吸収性本体の好ましい一例として、より具体的に説明する。
【００２０】
吸収性本体３は、図２に示すように、液透過性の表面シート３１、液不透過性又は撥水性の裏面シート３２、及び両シート３１、３２間に介在配置された液保持性の吸収体３３を有しており、Ｘ方向に長い長方形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。吸収体３３も、Ｘ方向に長い長方形状に形成されている。図示例の吸収体３３は、長手方向の両側に、吸収性コアの形成材料が存在しないか又は該形成材料の坪量が他の部分より少ない低剛性部３３ｄを有している。吸収体３３が低剛性部３３ｄで屈曲し易いことにより、おむつ着用時に、吸収体３３又は吸収性本体３の両側部が着用者の肌側に向かって立ち上がり易くなっている。
【００２１】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から幅方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。
【００２２】
おむつ１における腹側シート部材２Ａ及び背側シート部材２Ｂは何れも、図２に示すように、おむつの外面をなす外層シート２２と、外層シート２２の内面側に配された内層シート２３と、両シート２２，２３間にＸ方向に沿って配された複数本の糸状の弾性部材２４とを備えており、腹側胴回り部形成部２０ａ及び背側胴回り部形成部２０ｂに、それぞれ、胴回り伸縮部Ｇ２が形成され、腹側シート部材２Ａにおける上方延出部Ｅに、上方延出部伸縮部Ｇ１が形成され、腹側延出部２１ａ及び背側延出部２１ｂに、それぞれ下方延出部伸縮部Ｇ３が形成されている。背側延出部２１ｂの下方延出部伸縮部Ｇ３は、その一部が前述した下方延出部Ｆに存在すると共に残りの部分が、背側延出部２１ｂにおける下方延出部Ｆより上方の部位に形成されている。
【００２３】
本実施形態のおむつ１によれば、腹側シート部材２Ａに、背側シート部材２Ｂの上端縁Ｂｕより上方に延出した上方延出部Ｅを有するため、形態の差から容易に前後の判別が可能である。形態の差から前後の判別が可能であることは、薄暗い部屋のなかでも判別が容易となる等のメリットを有する。また、前後の判別のための絵柄や表示を付したり、前後の判別のために弾性体の色を変える必要がない等のメリットもある。なお、本願発明においても、前後の判別を一層容易にしたり意匠性を高めたりする目的で、そのような絵柄や表示を付したり、弾性体の色等を変えたりしても良い。
【００２４】
また、本実施形態のおむつ１によれば、着用者の腹側に配される腹側シート部材２Ａに、そのような上方延出部Ｅが形成されているため、腹側シート部材２Ａの上方延出部Ｆ又はその付近を手で把持しながら、レッグ開口部６，６に脚を通すことや、その状態から更におむつ１を引き上げることも容易である。しかも、レッグ開口部６の周縁部においては、背側シート部材２Ｂが腹側シート部材２Ａよりも下方に延びているため、腹側シート部材２Ａが背側シート部材２Ｂより下方に延びている場合や、それぞれの下端縁の位置が同じである場合に比べて、レッグ開口部６に脚を通すことも容易である。
【００２５】
本実施形態のおむつ１においては、腹側シート部材２ＡのＸ方向の長さＬａが、背側シート部材２ＢのＸ方向の長さＬｂと同じであるが、腹側シート部材２ＡのＸ方向の長さＬａが、背側シート部材２ＢのＸ方向の長さＬｂより大きい場合を含めて、各部の寸法は、下記のように設定することが、上述した効果が、より確実に奏されるようにする観点から好ましい。
【００２６】
腹側シート部材２Ａの上方延出部ＥのＸ方向の長さＬｅ（図３参照）は、５〜３０ｍｍ、特に１０〜３０ｍｍであることが好ましく、該長さＬｅは、腹側シート部材２ＡのＸ方向の長さＬａ（図２参照）の３〜２０％、特に７〜１５％であることが好ましい。また、腹側シート部材２ＡのＸ方向の長さＬａ（図２参照）は、５０〜２００ｍｍ、特に１００〜１５０ｍｍであることが好ましい。
【００２７】
また、背側シート部材２Ｂの下方延出部ＦのＸ方向の長さＬｆ（図３参照）は、５〜３０ｍｍ、特に１０〜３０ｍｍであることが好ましく、該長さＬｆは、背側シート部材２ＢのＸ方向の長さＬｂ（図２参照）の３〜２０％、特に７〜１５％であることが好ましい。また、背側シート部材２ＢのＸ方向の長さＬｂ（図２参照）は、５０〜１９０ｍｍ、特に１００〜１４０ｍｍであることが好ましい。
【００２８】
また、腹側シート部材２Ａの上方延出部ＥのＸ方向の長さＬｅに対する、背側シート部材２Ｂの下方延出部ＦのＸ方向の長さＬｆの比（Ｌｆ／Ｌｅ）は、０．２〜１．０、特に０．３〜１．０とすることが好ましい。
また、腹側シート部材２ＡのＸ方向の長さＬａは、背側シート部材２ＢのＸ方向の長さＬｂの長さの１００〜１６０％の長さであることが好ましく、より好ましくは１００〜１２０％の長さである。なお、腹側シート部材２Ａと背側シート部材２ＢのＸ方向の長さＬａ，Ｌｂが同じという表現には、両者を同じ長さにすることを意図しても、製造時の精度等から不可避的に生じるような差がある場合も含まれる。但し、その差（Ｌａ−Ｌｂ）の絶対値が、前記長さＬａの８％以下、特に３％以下であることが好ましく、該絶対値は、４ｍｍ以下、特に３ｍｍ以下であることがより好ましい。
【００２９】
また、本実施形態のおむつ１においては、腹側シート部材２Ａの上方延出部Ｅにおけるシートの積層枚数が、背側シート部材２Ｂにおける上端縁Ｂｕ近傍のシートの積層枚数よりも多くなっている。
より具体的には、図２に示すように、腹側シート部材２Ａを構成する外層シート２２及び内層シート２３は、その何れもが、腹側シート部材２Ａの上端縁Ａｕにおいて折り返され、それぞれの折り返し部分２２ａ，２３ａが腹側胴回り部形成部２０ａに達している。そのため、腹側シート部材２Ａの上方延出部Ｅは、外層シート２２、内層シート２３、外層シートの折り返し部分２２ａ及び内層シートの折り返し部分２３ａの４層構造となっている。これに対して、背側シート部材２Ｂにおいては、外層シート２２が、背側シート部材２Ｂの上端縁Ｂｕにおいて折り返されている一方、内層シート２３は、背側シート部材２Ｂの上端縁Ｂｕの近傍で終端して、上端縁Ｂｕで折り返されていない。そのため、背側シート部材２Ｂにおける上端縁Ｂｕ近傍は、外層シート２２、内層シート２３及び外層シートの折り返し部分２２ａの３層構造となっている。
このように、腹側シート部材２Ａの上方延出部Ｅにおけるシートの積層枚数が、背側シート部材２Ｂにおける上端縁Ｂｕ近傍のシートの積層枚数よりも多くすることによって、腹側部の上部の掴み易さが向上し、おむつを一層スムーズに装着できると共に、前後の判別も一層容易となる。
【００３０】
なお、シートの積層枚数の差は、１枚に代えて、２枚あるいは３枚以上とすることもできる。例えば、腹側シート部材２Ａの上端縁Ａｕにおいては、外層シート２２及び内層シート２３を折り返す一方、背側シート部材２Ｂの上端縁Ｂｕにおいては、外層シート２２及び内層シート２３のいずれも折り返さない構成とすれば、積層枚数の差は２枚となる。また、外層シート２２と内層シート２３との間や内層シート２３の肌当接面側に別のシートを積層して、積層枚数に差を設けることもできる。
【００３１】
また、本実施形態のおむつ１においては、前述したように、腹側シート部材２Ａ及び背側シート部材２Ｂが、何れも、左右両側にサイドシール部４，４を有しない、腹側延出部２１ａ及び背側延出部２１ｂを有している。このように、腹側シート部材２Ａ及び背側シート部材２Ｂ
筒状の胴回り部Ｄの下方に、互いに接合されることなく延出している部分２１ａ，２１ｂを有していると、おむつの使用後に、サイドシール部４を引き裂くことが容易である。
【００３２】
また、本発明のパンツ型吸収性物品における腹側シート部材２Ａと背側シート部材２Ｂは、筒状の胴回り部Ｄの上方開口部の周縁部を形成する部分Ｄａ，Ｄｂの収縮応力が相異なっていることが好ましい。筒状の胴回り部Ｄの上方開口部の周縁部を形成する部分Ｄａ，Ｄｂとは、図３及び図４に示すように、背側シート部材２Ｂの上端縁Ｂｕの位置を上端とする所定幅の帯状領域であり、腹側シート部材２Ａの該部分Ｄａの収縮応力と背側シート部材２Ｂの該部分Ｄｂの収縮応力を比較するには、腹側シート部材２Ａ及び背側シート部材２Ｂのそれぞれから、サイドシール４，４間の全長に亘る帯状のサンプルを切り出し、それぞれの収縮応力を測定して比較する。切り出すサンプルの幅は、３０ｍｍとすることが好ましい。
【００３３】
腹側シート部材２Ａと背側シート部材２Ｂの前記収縮応力が異なると、背側部と腹側部との間に空間ができ、腹側部の上部を手で掴みやすくなるので、スムーズに装着することができる。
【００３４】
また、腹側シート部材２Ａと背側シート部材２Ｂの前記収縮応力は、背側シート部材２Ｂの収縮応力が腹側シート部材２Ａの収縮応力より大きいことが、上方延出部Ｅが幅の広い状態を維持し易く、腹側部の上部の掴みやすさや上方延出部Ｅの視認性等が向上する観点等から好ましい。
【００３５】
腹側シート部材２Ａと背側シート部材２Ｂの前記部分Ｄａ，Ｄｂの前記収縮応力は、例えば、次のようにして測定する。
サンプル（サイドシール４，４間の全長に亘る長さのサンプル）を、引張試験機（例えば、オリエンテック社製の「ＲＴＡ−１００」）の一対のチャック間に固定する。サンプルの固定は、サンプルの長手方向の両端部それぞれにおける、端縁から幅１０ｍｍの部分をチャックに挟んで留める。また、サンプルは、自然状態（外力を加えずに自然に収縮させた状態）で固定する。そして、そのサンプルを、引張速度３００ｍｍ／ｍｉｎで、おむつ幅方向（Ｙ方向）と同じ方向に伸長させ、サンプルの長さ（チャック間距離）が、最大伸長の７０％の長さとなった時点の荷重を収縮応力とする。
なお、最大伸長とは、サンプルが収縮していない状態のサンプルの長さをいう。また、７０％を指標としたのは、パンツ型使い捨ておむつを装着した時のサンプルの伸長状態を再現するためである。
【００３６】
上記方法により測定した、腹側シート部材２Ａの前記部分Ｄａの収縮応力と背側シート部材２Ｂの前記部分Ｄｂの収縮応力との差は、０．５〜２．０Ｎ／３０ｍｍ、特に１．０〜２．０Ｎ／３０ｍｍであることが好ましい。また、腹側シート部材２Ａの前記部分Ｄａの収縮応力は、１．０〜３．０Ｎ／３０ｍｍ、特に１．５〜２．５Ｎ／３０ｍｍであることが好ましい。
【００３７】
また、筒状の胴回り部Ｄは、上方開口部の周縁部Ｄｕにおける収縮応力より収縮応力が大きい領域Ｄｔを、該胴回り部Ｄにおける下方に有していることが好ましい。
筒状の胴回り部Ｄよりも、着用者の腸骨領域に当たり易い、それより下方の領域Ｄｔの収縮応力を高めることで、おむつの下方へのずれ落ちを効果的に防止でき、また、筒状の胴回り部Ｄの上方開口部の周縁部Ｄｕが、着用者の肌に強く当たり、ゴム跡が付いたり、肌への負担となるといったことを防止することができる。
ここでいう、上方開口部の周縁部Ｄｕの収縮応力及び領域Ｄｔの収縮応力は、筒状の胴回り部Ｄから、腹側シート部材２Ａ側を構成する部分と背側シート部材２Ｂ側を構成する部分とが環状につながっている環状サンプルを切り出し、そのそれぞれについて、下記方法により収縮応力を測定する。切り出すサンプルの幅は３０ｍｍとすることが好ましい。
【００３８】
図５に示すように、環状のサンプルＳを、一対のＵ字状の治具１００，１００間に架け渡すようにして、引張試験機（例えば、オリエンテック社製の「ＲＴＡ−１００」）のチャック１１０，１１０間に固定する。サンプルＳの初期状態の長さａ（図５参照）は、環状のサンプルＳを自然に収縮させた状態（自然状態、外力を加えない状態）における該サンプルＳの周長の１／２の長さとする。そして、チャック１１０，１１０間に固定したサンプルＳを、引張速度３００ｍｍ／ｍｉｎで、サンプルＳの長さ（治具間の長さ）が、最大伸長の７０％の長さとなるまで伸長させる。
なお、最大伸長とは、サンプルが収縮していない状態のサンプルの長さをいう。また、７０％を指標としたのは、パンツ型使い捨ておむつを装着した時のサンプルの伸長状態を再現するためである。
【００３９】
なお、腸骨領域とは、着用者の腸骨稜から上前腸骨棘にかけての部位であり、例えば、腸骨稜から上前腸骨棘にかけての部位については、特開２００６−６１６８０号公報に説明されている。
おむつ１を着用した状態で、上方開口部の周縁部Ｄｕより下方の領域Ｄｔが着用者の腸骨稜から上前腸骨棘にかけての部位に当接するようにするためには、環状領域Ｄｔを含めておむつを、展開且つ伸長状態としたときに、該環状領域Ｄｔの中心位置（おむつ１の長手方向における中心位置）と、腹側胴回り部形成部２０ａの上端と背側胴回り部形成部２０ｂの上端との間を２等分するおむつ股下最下線ＣＬとの間の距離ｋ１及びｋ２（図２参照）が、幼児用おむつにおいては、それぞれ、１８０〜２３０ｍｍであることが好ましく、より好ましくは１８５〜２２０ｍｍであり、更に好ましくは１９５〜２１５ｍｍである。成人用のおむつの場合には、距離ｋ１及びｋ２（図２参照）が３００〜３５０ｍｍ、特に３０５〜３３５ｍｍであることが好ましい。本実施形態における領域Ｄｔは、着用者の腸骨稜から上前腸骨棘にかけての部位に当接する。なお、股下最下線ＣＬは、腹側胴回り部形成部２０ａの上端と背側胴回り部形成部２０ｂの上端との距離Ｌ７を２等分する。
【００４０】
また、前記領域Ｄｔは、腹側シート部材２Ａ側と背側シート部材２Ｂ側とに分割したときに、腹側シート部材側より背側シート部材側の収縮応力が大きいことが好ましい。
このような構成を有することにより、腹側シート部材と背側シート部材との間に空間ができ、また、腹側シート部材は幅の広い状態を維持しやすいため、装着時に足を通し易くなる。
【００４１】
この収縮応力の測定は、前記領域Ｄｔを腹側シート部材２Ａ側と背側シート部材２Ｂ側とに分割したサンプルを用いる以外は、前述した腹側シート部材２Ａと背側シート部材２Ｂの前記部分Ｄａ，Ｄｂの前記収縮応力と同様にして測定することができる。
また、その方法により測定した、腹側シート部材２Ａ側のサンプルの収縮応力と背側シート部材２Ｂ側のサンプルの収縮応力との差は、０．５〜２．０Ｎ／３０ｍｍ、特に１．０〜２．０Ｎ／３０ｍｍであることが好ましい。また、腹側シート部材２Ａのサンプルの収縮応力は２．０〜５．０Ｎ／３０ｍｍ、特に３．０〜５．０Ｎ／３０ｍｍであることが好ましく、背側シート部材２Ｂ側の収縮応力は、３．０〜６．０Ｎ／３０ｍｍ、特に５．０〜６．０Ｎ／３０ｍｍであることが好ましい。
【００４２】
なお、腹側延出部２１ａの長さＬ５（図２参照）は、腹側シート部材２Ａの長さＬａ（図２参照）の３〜３０％、特に５〜２０％であることが好ましく、背側延出部２１ｂの長さＬ６（図２参照）は、背側シート部材２Ｂの長さＬｂ（図２参照）の３〜４０％、特に７〜３０％であることが好ましい。また、幼児用のおむつの場合、腹側延出部２１ａの長さＬ５は、５〜３０ｍｍ、特に１０〜３０ｍｍであることが好ましく、背側延出部２１ｂの長さＬ６は、１０〜６０ｍｍ、特に２０〜６０ｍｍであることが好ましい。また、成人用のおむつの場合、腹側延出部２１ａの長さＬ５は、１０〜５０ｍｍ、特に２０〜４０ｍｍであることが好ましく、背側延出部２１ｂの長さＬ６は、１５〜８０ｍｍ、特に３０〜７０ｍｍであることが好ましい。
【００４３】
各部の収縮応力を異ならせる方法としては、収縮応力を異ならせることができる限り特に制限されず、例えば、（１）収縮応力が高い領域と収縮応力が低い領域とで、シート２２及び又は２３に固定する際の弾性部材の伸長率を異ならせる方法、（２）収縮応力が高い領域と収縮応力が低い領域とで、配する弾性部材の太さを異ならせる方法、（３）収縮応力が高い領域と収縮応力が低い領域とで、配する弾性部材の材質を異ならせる方法、（４）収縮応力が高い領域と収縮応力が低い領域とで、弾性部材の配置ピッチを異ならせる方法、及び（５）これらの２以上を組み合わせた方法等が挙げられる。
【００４４】
また、本発明のパンツ型吸収性物品は、腹側シート部材２Ａの上方延出部Ｅに、該部分を構成するシート材が溶融固化されて形成された高剛性部分４’，４’が、吸収性物品の幅方向Ｙに離間させて複数形成されていることが、上方延出部Ｅに剛性を持たせて、ウエスト開口部の周縁部を両手で把持しやすくなる観点から好ましい。
例えば、図３に示すように、サイドシール部４を形成するためのヒートシール加工を、腹側シート部材２Ａと背側シート部材２Ｂとが重なっている部分のみならず、腹側シート部材２Ａにおける背側シート部材２Ｂから延出した部分にも施すことによって、サイドシール部４の延長線上に前述した高剛性部分４’を形成することができる。
【００４５】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４６】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムの小型化等を図ることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００４７】
以上、本発明をその好ましい実施形態に基づき説明したが、本発明は上述した実施形態に制限されず適宜変更可能である。
例えば、腹側シート部材は、Ｘ方向の長さが背側シート部材の同方向の長さより長いものであっても良い。また、腹側シート部材２Ａは、腹側延出部２１ａを有しないものであっても良い。また、背側シート部材２Ｂの背側延出部２１ｂは、腹側延出部２１ａと重なる部分又は腹側延出部２１ａより下方に延出する下方延出部Ｆに、おむつ幅方向の伸縮性を有しないものであっても良い。
【００４８】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００４９】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５０】
１  パンツ型使い捨ておむつ（パンツ型吸収性物品）
Ｄ  胴回り部
２Ａ  腹側シート部材
２０ａ  腹側胴回り部形成部
２１ａ  腹側延出部
Ｅ  上方延出部
２Ｂ  背側シート部材
２０ｂ  背側回り部部形成部
２１ｂ  背側延出部
Ｆ  下方延出部
２２  外層シート
２３  内層シート
２４  弾性部材
３  吸収性本体
３１  表面シート
３２  裏面シート
３３  吸収体
４  サイドシール部
４’  高剛性部分
５  ウエスト開口部
６，６  レッグ開口部
Ｇ１  上方延出部伸縮部
Ｇ２  胴回り伸縮部
Ｇ３  下方延出部伸縮部
【図１】
0005946172.tif 000002
【図２】
0005946172.tif 000003
【図３】
0005946172.tif 000004
【図４】
0005946172.tif 000005
【図５】
0005946172.tif 000006